(57)【要約】【課題】放射線画像撮影装置自体で放射線の照射タイミングを検知する際の誤検知、検知漏れを防ぐ。【解決手段】放射線発生装置による放射線の照射タイミングを検知し、放射線の照射に応じて被写体を透過した放射線に基づく画像を生成するＦＰＤパネルと、ＦＰＤパネルを制御する撮影制御装置と、がデータ通信可能に接続された放射線画像撮影システムにおいて、撮影制御装置の記憶部には、撮影オーダー情報とＦＰＤパネルにおける放射線の照射タイミングの検知条件とを対応付けた検知条件対応テーブルが記憶されている。撮影制御装置は、ＲＩＳから取得した撮影オーダー情報に対応付けられた検知条件を検知条件対応テーブルから読み出し、読み出された検知条件をＦＰＤパネルに送信する。ＦＰＤパネルでは、撮影制御装置から送信された検知条件に基づいて、放射線発生装置による放射線の照射タイミングを検知する。【選択図】図５
2014113345.tif 000002
【特許請求の範囲】
【請求項１】
放射線を電気信号に変換する複数の放射線検出素子を備え、放射線発生装置による放射線の照射タイミングを検知し、当該放射線の照射に応じて被写体を透過した放射線に基づく画像を生成する放射線画像撮影装置と、当該放射線画像撮影装置を制御する撮影制御装置と、がデータ通信可能に接続された放射線画像撮影システムにおいて、
前記撮影制御装置は、
撮影オーダー情報と前記放射線画像撮影装置における放射線の照射タイミングの検知条件とを対応付けて記憶する記憶手段と、
前記放射線画像撮影装置における撮影に関する撮影オーダー情報を取得する取得手段と、
前記取得された撮影オーダー情報に対応付けられた検知条件を前記記憶手段から読み出し、当該読み出された検知条件を前記放射線画像撮影装置に送信する第１制御手段と、
を備え、
前記放射線画像撮影装置は、
前記撮影制御装置から送信された検知条件に基づいて、前記放射線発生装置による放射線の照射タイミングを検知する第２制御手段を備える放射線画像撮影システム。
【請求項２】
前記検知条件には、放射線の照射タイミングを検知する際に用いる前記複数の放射線検出素子の感度及び／又は領域が含まれる請求項１に記載の放射線画像撮影システム。
【請求項３】
前記撮影オーダー情報には、撮影部位及び／又は撮影方向が含まれる請求項１又は２に記載の放射線画像撮影システム。
【請求項４】
前記撮影制御装置は、
検知条件を変更する旨の警告を表示する表示手段と、
前記検知条件の変更を許可するための操作手段と、
を備え、
前記第１制御手段は、前記操作手段から前記検知条件の変更が許可された場合に、当該変更が許可された検知条件を前記放射線画像撮影装置に送信する請求項１から３のいずれか一項に記載の放射線画像撮影システム。
【発明の詳細な説明】
【技術分野】
【０００１】
本発明は、放射線画像撮影システムに関する。
【背景技術】
【０００２】
医療の分野において、Ｘ線等の放射線を電気信号に変換する放射線検出素子を備えた放射線画像撮影装置として、ＦＰＤ（Flat Panel Detector）が用いられている。放射線発生装置により発生した放射線が人体等の被写体を透過してＦＰＤに照射され、放射線の照射終了後に放射線検出素子に蓄積された電荷が読み取られることで画像が生成される。この電荷の読み取りが速やかに行われない場合は、ノイズが増加するため、放射線の照射終了後、速やかに電荷の読み取りを行う必要がある。
【０００３】
放射線照射のタイミング検知には、曝射信号連携方式と曝射信号非連携方式とがある（例えば、特許文献１参照）。曝射信号連携方式は、放射線発生装置と放射線画像撮影装置との間を信号線で接続し、放射線発生装置から出力される曝射信号のＯＮ／ＯＦＦによって放射線の曝射が行われているかどうかを検知するものである。一方、曝射信号非連携方式は、放射線発生装置と放射線画像撮影装置との間で信号線の接続を行わず、放射線画像撮影装置が備える放射線検出素子の一部又は全部を放射線自動検知のためにモニタリングする等、放射線画像撮影装置自体で放射線の曝射が行われているかどうかを検知するものである。
【先行技術文献】
【特許文献】
【０００４】
【特許文献１】特開２０１１−２５４９７１号公報
【発明の概要】
【発明が解決しようとする課題】
【０００５】
しかしながら、曝射信号非連携方式の場合、すなわち、放射線画像撮影装置自体で放射線の照射開始を検知する場合には、ＦＰＤパネルが受ける衝撃による誤検知や、照射される放射線が弱いことによる検知漏れのおそれがあった。
【０００６】
例えば、小児撮影の場合、子どもが動くことでＦＰＤパネルに衝撃が加わり、誤検知の原因となる。また、腹部撮影では、放射線量が他の部位に比べて低いため、Ｓ／Ｎ比が低くなり、検知漏れの可能性が高くなる。また、手指骨撮影では、照射野が絞られることで、ＦＰＤパネルの外周に近い部分に放射線がほとんど照射されず、検知漏れの可能性が高くなる。
【０００７】
本発明は、上記の従来技術における問題に鑑みてなされたものであって、放射線画像撮影装置自体で放射線の照射タイミングを検知する際の誤検知、検知漏れを防ぐことを課題とする。
【課題を解決するための手段】
【０００８】
上記課題を解決するために、請求項１に記載の発明は、放射線を電気信号に変換する複数の放射線検出素子を備え、放射線発生装置による放射線の照射タイミングを検知し、当該放射線の照射に応じて被写体を透過した放射線に基づく画像を生成する放射線画像撮影装置と、当該放射線画像撮影装置を制御する撮影制御装置と、がデータ通信可能に接続された放射線画像撮影システムにおいて、前記撮影制御装置は、撮影オーダー情報と前記放射線画像撮影装置における放射線の照射タイミングの検知条件とを対応付けて記憶する記憶手段と、前記放射線画像撮影装置における撮影に関する撮影オーダー情報を取得する取得手段と、前記取得された撮影オーダー情報に対応付けられた検知条件を前記記憶手段から読み出し、当該読み出された検知条件を前記放射線画像撮影装置に送信する第１制御手段と、を備え、前記放射線画像撮影装置は、前記撮影制御装置から送信された検知条件に基づいて、前記放射線発生装置による放射線の照射タイミングを検知する第２制御手段を備える。
【０００９】
請求項２に記載の発明は、請求項１に記載の放射線画像撮影システムにおいて、前記検知条件には、放射線の照射タイミングを検知する際に用いる前記複数の放射線検出素子の感度及び／又は領域が含まれる。
【００１０】
請求項３に記載の発明は、請求項１又は２に記載の放射線画像撮影システムにおいて、前記撮影オーダー情報には、撮影部位及び／又は撮影方向が含まれる。
【００１１】
請求項４に記載の発明は、請求項１から３のいずれか一項に記載の放射線画像撮影システムにおいて、前記撮影制御装置は、検知条件を変更する旨の警告を表示する表示手段と、前記検知条件の変更を許可するための操作手段と、を備え、前記第１制御手段は、前記操作手段から前記検知条件の変更が許可された場合に、当該変更が許可された検知条件を前記放射線画像撮影装置に送信する。
【発明の効果】
【００１２】
本発明によれば、放射線画像撮影装置自体で放射線の照射タイミングを検知する際の誤検知、検知漏れを防ぐことができる。
【図面の簡単な説明】
【００１３】
【図１】本発明に係る放射線画像撮影システムのシステム構成図である。
【図２】ＦＰＤパネルの機能的構成を示すブロック図である。
【図３】放射線の照射タイミングの検知方法を説明するための図である。
【図４】撮影制御装置の機能的構成を示すブロック図である。
【図５】検知条件対応テーブルの例を示す図である。
【図６】小児胸腹部単純撮影における検知領域を示す図である。
【図７】成人腹部正面撮影における検知領域を示す図である。
【図８】手指骨正面撮影における検知領域を示す図である。
【図９】ＦＰＤパネル及び撮影制御装置における放射線画像撮影処理を示すラダーチャートである。
【図１０】ＦＰＤパネル及び撮影制御装置における放射線画像撮影処理を示すラダーチャートである。
【図１１】リスト画面の例である。
【図１２】撮影画面の例である。
【図１３】振動誤検知補正機能をＯＮに変更する旨の警告メッセージ画面の例である。
【図１４】検知感度を高感度に変更する旨の警告メッセージ画面の例である。
【発明を実施するための形態】
【００１４】
以下、本発明に係る放射線画像撮影システムの実施の形態について、図面を参照して説明する。ただし、本発明は、図示例に限定されるものではない。
【００１５】
［放射線画像撮影システムの構成］
図１に、放射線画像撮影システム１００のシステム構成を示す。放射線画像撮影システム１００は、ＦＰＤパネル１、撮影制御装置２、ハブ３、アクセスポイント４、放射線発生装置５、放射線発生装置操作卓６等を備えて構成されている。ＦＰＤパネル１、アクセスポイント４、放射線発生装置５は、放射線を遮蔽する撮影室Ｒ１に設けられている。患者相互の被曝防止の観点から、通常は撮影室Ｒ１に患者が一人の状態で撮影が実施される。また、撮影制御装置２、ハブ３、放射線発生装置操作卓６は、撮影室Ｒ１の外に設けられている。
【００１６】
ＦＰＤパネル１は、平板状のカセッテ型の放射線画像撮影装置である。ＦＰＤパネル１は、放射線発生装置５から照射され、被写体Ｐ１を透過した放射線に基づいて、放射線画像の画像データを生成する。
【００１７】
撮影制御装置２は、ＦＰＤパネル１を制御するための装置であり、ハブ３及びアクセスポイント４を介して、ＦＰＤパネル１との間で無線方式でデータ通信を行う。つまり、ＦＰＤパネル１と撮影制御装置２とは、無線によりデータ通信可能に接続されている。撮影制御装置２は、ＲＩＳ（Radiology Information System；放射線科情報システム）から撮影オーダー情報を取得し、取得された撮影オーダー情報に基づいて、ＦＰＤパネル１における放射線の照射タイミングの検知条件を設定する。撮影オーダー情報は、撮影対象や撮影条件等、撮影の依頼に関する情報である。撮影オーダー情報には、患者情報、検査情報等が含まれる。患者情報は、患者に関する情報であり、患者氏名、患者ＩＤ、生年月日、性別等を含む。検査情報は、検査に関する情報であり、撮影部位、撮影方向等を含む。
【００１８】
ハブ３は、撮影制御装置２及びアクセスポイント４と接続され、装置間のデータ通信を中継する。
アクセスポイント４は、ＦＰＤパネル１との間で無線方式でデータ通信を行うためのアンテナを備えている。
【００１９】
放射線発生装置５は、放射線発生装置操作卓６から送信された放射線照射条件を受信し、受信した放射線照射条件を記憶する。放射線照射条件には、放射線管の管電流の値、管電圧の値、フィルター種、放射線照射時間等が含まれる。放射線発生装置操作卓６に設けられた照射タイミングを指示するスイッチの押下により、放射線発生装置操作卓６から放射線発生装置５に放射線照射の指示信号が送信されると、放射線発生装置５は、放射線照射条件に基づいて所定量の放射線を所定時間照射する。
【００２０】
放射線発生装置操作卓６は、ＲＩＳから撮影オーダー情報を取得し、取得された撮影オーダー情報に基づいて、放射線照射条件を放射線発生装置５に送信する。また、放射線発生装置操作卓６は、撮影実施者の放射線照射スイッチの操作により放射線照射が指示されると、放射線発生装置５に設定された放射線照射条件で被写体Ｐ１への放射線照射を行わせる。
【００２１】
図２に、ＦＰＤパネル１の機能的構成を示す。図２に示すように、ＦＰＤパネル１は、制御部１１、検出器１２、無線通信部１３、記憶部１４、電源スイッチ１５、充電池１６、インジケーター１７等を備えて構成されている。
【００２２】
制御部１１は、ＣＰＵ（Central Processing Unit）、ＲＯＭ（Read Only Memory）、ＲＡＭ（Random Access Memory）等から構成されている。制御部１１は、ＲＯＭに格納されている所定のプログラムを読み出してＲＡＭの作業領域に展開し、当該プログラムに従ってＣＰＵが各種処理を実行するようになっている。制御部１１は、検出器１２を制御して、検出器１２により検出された画像信号を読み取り、この画像信号に基づいて放射線画像の画像データを生成し、生成された画像データを無線通信部１３により撮影制御装置２に送信する。
【００２３】
検出器１２は、放射線を電気信号に変換する複数の放射線検出素子１２１、各放射線検出素子１２１にパルスを送り当該各放射線検出素子１２１を走査・駆動させる走査駆動回路等で構成されている。各放射線検出素子１２１は、フォトダイオード（光電変換素子）等から構成されており、ＦＰＤパネル１の放射線入射面に二次元状（マトリクス状）に配列されている。
【００２４】
無線通信部１３は、図示しないアンテナ装置を備えており、無線方式にてアクセスポイント４を介して撮影制御装置２との間でデータの送受信を行う。
【００２５】
記憶部１４は、フラッシュメモリー等の書き換え可能なメモリー等で構成されており、各種データを記憶する。例えば、記憶部１４は、検出器１２で検出された画像信号に基づいて生成された画像データを記憶する。また、記憶部１４は、撮影制御装置２から設定された放射線の照射タイミングの検知条件を記憶する。検知条件には、放射線の照射タイミングを検知する際に用いる複数の放射線検出素子１２１の検知感度、検知領域、振動誤検知補正のＯＮ／ＯＦＦ等の情報が含まれる。
【００２６】
電源スイッチ１５は、ＦＰＤパネル１の電源ＯＮ／ＯＦＦを切り換えるためのスイッチである。
充電池１６は、制御部１１の制御に基づいて、ＦＰＤパネル１の各機能部に電力を供給する。
インジケーター１７は、ＦＰＤパネル１の状態や、充電池１６の充電残量等を表示するものである。
【００２７】
制御部１１は、撮影制御装置２から送信された放射線の照射タイミングの検知条件に基づいて、放射線発生装置５による放射線の照射タイミングを検知する。すなわち、制御部１１は、第２制御手段として機能する。
【００２８】
制御部１１は、放射線の照射に応じて被写体Ｐ１を透過した放射線に基づく画像を生成する。具体的には、制御部１１は、放射線発生装置５による放射線の照射タイミングを検知した場合に、各放射線検出素子１２１に画像生成用の電荷の蓄積を開始させ、所定時間経過後に各放射線検出素子１２１に蓄積された電荷を読み出し、被写体Ｐ１を透過した放射線量に基づく画像信号を取得し、画像データを生成する。
【００２９】
図３を参照して、放射線の照射タイミングの検知方法について説明する。横軸は経過時間（ｍｓｅｃ）、縦軸は放射線検出素子１２１が受ける単位面積当たりの放射線の強度（入力信号値）である。制御部１１は、検出器１２の照射タイミング検知の対象となる放射線検出素子１２１について、時点Ｔ１から放射線の強度が予め定められた閾値を超えたか否かをモニタリングし、放射線の強度が閾値を超えた場合に（時点Ｔ２）、放射線が照射されたと判断する。そして、制御部１１は、放射線の強度が閾値を超えた時点Ｔ２で放射線画像生成のための電荷の蓄積を開始させる。制御部１１は、時点Ｔ２から一定時間が経過した時点Ｔ３で電荷を読み出し、画像データを生成する。
本実施の形態では、放射線強度に加えて、直近の一定時間（例えば、５０ｍｓｅｃ等）の間（一定時間前から現時点まで）の放射線強度を積算した積算値も合わせて用いる。放射線強度の積算値についても、制御部１１は、予め定められた閾値を超えた場合に、放射線が照射されたと判断する。
【００３０】
図４に、撮影制御装置２の機能的構成を示す。図４に示すように、撮影制御装置２は、制御部２１、操作部２２、表示部２３、通信部２４、記憶部２５等を備えて構成されている。
【００３１】
制御部２１は、ＣＰＵ、ＲＡＭ等により構成される。制御部２１のＣＰＵは、記憶部２５に記憶されているシステムプログラムや処理プログラム等の各種プログラムを読み出してＲＡＭに展開し、展開されたプログラムに従って各種処理を実行する。
【００３２】
操作部２２は、文字入力キー、数字入力キー及び各種機能キー等を備えたキーボードと、マウス等のポインティングデバイスを備えて構成され、キーボードで押下操作されたキーの押下信号とマウスによる操作信号とを、入力信号として制御部２１に出力する。例えば、操作部２２は、検知条件の変更を許可する際に用いられる。
【００３３】
表示部２３は、ＬＣＤ（Liquid Crystal Display）等のモニターを備えて構成されており、制御部２１から入力される表示信号の指示に従って、各種画面を表示する。例えば、表示部２３には、検知条件を変更する旨の警告が表示される。
なお、表示部２３の画面上に、透明電極を格子状に配置した感圧式（抵抗膜圧式）のタッチパネル（図示せず）を形成し、表示部２３と操作部２２とが一体に構成されるタッチスクリーンとしてもよい。この場合、タッチパネルは、手指やタッチペン等で押下された力点のＸＹ座標を電圧値で検出し、検出された位置信号を操作信号として制御部２１に出力する。
【００３４】
通信部２４は、アクセスポイント４を介してＦＰＤパネル１との間でデータの送受信を行う。また、通信部２４は、ネットワークインターフェース等により構成され、ネットワークに接続された外部機器との間でデータの送受信を行う。
【００３５】
記憶部２５は、例えばＨＤＤ（Hard Disk Drive）や半導体の不揮発性メモリー等で構成されている。記憶部２５には、各種プログラムや、各種処理に必要なデータ等が記憶されている。具体的には、記憶部２５には、ＦＰＤパネル１における撮影に関する撮影オーダー情報が記憶される。また、記憶部２５には、撮影オーダー情報と、ＦＰＤパネル１における放射線の照射タイミングの検知条件と、を対応付けた検知条件対応テーブル２５１が予め記憶されている。
【００３６】
図５に、検知条件対応テーブル２５１の例を示す。検知条件対応テーブル２５１には、「撮影部位・撮影方向」と、「検知条件」と、「警告」と、が対応付けられて格納されている。本実施の形態では、検知条件を決定する際に用いる撮影オーダー情報として、撮影部位・撮影方向を用いる。また、検知条件には、「検知感度」、「検知領域」、「振動誤検知補正」が含まれる。
【００３７】
「検知感度」は、放射線の照射タイミングを検知する際に用いる放射線検出素子１２１の感度である。具体的には、それぞれの感度に対応する放射線強度の閾値、又は、放射線強度の積算値の閾値が格納されている。放射線強度の閾値、放射線強度の積算値の閾値を変更することによって、感度を変更することができる。放射線強度又は放射線強度の積算値が閾値を超えた場合に、放射線発生装置５から放射線が照射されたと判断される。例えば、閾値をより高くする（感度を低くする）ことで、誤検知を防ぐことができる。また、閾値をより低くする（感度を高くする）ことで、検知漏れを防ぐことができる。
【００３８】
「検知領域」は、放射線の照射タイミングを検知する際に用いる放射線検出素子１２１の領域である。具体的には、ＦＰＤパネル１を構成する各放射線検出素子１２１のうち、ＦＰＤパネル１の放射線入射面においてどの領域に含まれる放射線検出素子１２１を用いるかが指定されている。
【００３９】
「振動誤検知補正」は、放射線の強度を示す信号値の突発的な変化については無視する処理をいう。突発的な変化であるか否かは、例えば、所定の時間内の信号値の変化の絶対値が所定の値以上であるか否かにより、判断される。振動誤検知補正がＯＮの場合には、振動誤検知補正が行われ、振動誤検知補正がＯＦＦの場合には、振動誤検知補正が行われない。
【００４０】
「警告」は、ユーザーに対して照射タイミングの検知条件の変更について警告するか否かを示す情報である。また、警告を行う場合、検知条件対応テーブル２５１の「警告」フィールドには、警告すべき検知条件の変更内容（警告内容）も含まれる。
【００４１】
例えば、小児胸腹部単純撮影（正面）は、被写体Ｐ１が動くことにより振動が生じる可能性が高く、また、検出器１２への到達線量が多い、という特徴がある。そのため、検知感度については、閾値を高くする（感度を低くする）ことで、誤検知を防ぐことができる。また、検知領域については、図６に示すように、ＦＰＤパネル１の周辺部（領域７１〜７４）とすることで、被写体Ｐ１と重ならない領域で放射線の検知を行うことができる。また、振動誤検知補正をＯＮにするよう警告を表示させ、振動誤検知補正をＯＮにするという検知条件の変更が許可された場合には、振動誤検知補正をＯＮにする。振動誤検知補正により、振動による誤検知を防止することができる。
【００４２】
また、成人腹部正面撮影は、振動は少なく、また、太っている人の場合には検出器１２への到達線量が少ない、という特徴がある。そのため、検知感度については、検出の閾値を低くする（感度を高くする）ことで、検知漏れを防ぐことができる。また、検知領域については、図７に示すように、ＦＰＤパネル１の周辺部（領域８１〜８４）とすることで、検出器１２への到達線量が比較的多いと考えられる領域で放射線の検知を行うことができる。また、検知感度を高くするよう警告を表示させ、検知感度を高くするという検知条件の変更が許可された場合には、検知感度を高くする。
【００４３】
また、手指骨正面撮影は、振動は少なく、また、検出器１２への到達線量が多い、という特徴がある。そのため、検知感度については、検出の閾値を高くする（感度を低くする）ことで、誤検知を防ぐことができる。また、検知領域については、図８に示すように、ＦＰＤパネル１の全面（領域９１〜９９）とする。手指骨正面撮影の場合、被写体Ｐ１に対して照射野Ｃ１が絞られるため、検知領域を周辺部のみとすると、検知漏れのおそれがある。また、手指骨正面撮影では、照射タイミングの検知条件の変更について、特に警告は行わない。
【００４４】
制御部２１は、通信部２４を介してＦＰＤパネル１における撮影に関する撮影オーダー情報をＲＩＳから取得する。すなわち、制御部２１は、取得手段として機能する。
【００４５】
制御部２１は、取得された撮影オーダー情報（撮影部位・撮影方向）に対応付けられた検知条件を記憶部２５の検知条件対応テーブル２５１から読み出し、当該読み出された検知条件を通信部２４を介してＦＰＤパネル１に送信する。すなわち、制御部２１は、第１制御手段として機能する。
【００４６】
制御部２１は、記憶部２５の検知条件対応テーブル２５１において、撮影オーダー情報に含まれる撮影部位・撮影方向に対応付けられている「警告」が「あり」の場合には、「警告」フィールドにおいて指定されている検知条件について警告を表示部２３に表示させる。
【００４７】
制御部２１は、警告された検知条件について、操作部２２から検知条件の変更が許可された場合に、当該変更が許可された検知条件をＦＰＤパネル１に送信する。具体的には、制御部２１は、警告された検知条件について、操作部２２から検知条件の変更が許可された場合には、警告された検知条件を含めて、撮影部位・撮影方向に対応付けられた検知条件をＦＰＤパネル１に送信する。一方、警告された検知条件について、操作部２２から検知条件の変更が許可されなかった場合には、制御部２１は、警告された検知条件を除いて、撮影部位・撮影方向に対応付けられた検知条件をＦＰＤパネル１に送信する。
【００４８】
［放射線画像撮影システムの動作］
次に、ＦＰＤパネル１及び撮影制御装置２における動作について説明する。
図９及び図１０は、ＦＰＤパネル１及び撮影制御装置２における放射線画像撮影処理を示すラダーチャートである。
【００４９】
まず、撮影制御装置２では、制御部２１により、通信部２４を介してＲＩＳから撮影オーダー情報が取得される（ステップＳ１）。なお、ユーザーが操作部２２から操作することにより、撮影オーダー情報が入力されることとしてもよい。
【００５０】
次に、制御部２１により、撮影オーダー情報に基づいて、検査のリストが表示部２３に表示される。そして、操作部２２からの操作により、検査のリストの中から実施する検査が選択される（ステップＳ２）。
【００５１】
図１１に、表示部２３に表示されるリスト画面２３１の例を示す。リスト画面２３１の検査リスト表示領域２３１ａには、検査毎に、患者ＩＤ、患者氏名、性別、生年月日、撮影部位・撮影方向、枚数が表示される。検査リスト表示領域２３１ａからいずれかの検査２３１ｂが選択され、検査開始ボタンＢ１が押下されると、撮影画面２３２（図１２参照）に遷移する。
【００５２】
次に、制御部２１により、選択された検査に対応する撮影オーダー情報に基づいて、選択された検査に含まれる撮影部位・撮影方向が表示部２３に表示される。そして、操作部２２からの操作により、表示されている撮影部位・撮影方向の中から実施する撮影部位・撮影方向が選択される（ステップＳ３）。
【００５３】
図１２に、撮影画面２３２の例を示す。撮影画面２３２には、撮影画像表示領域２３２ａ、部位・方向表示領域２３２ｂが含まれる。撮影画像表示領域２３２ａには、撮影前は、画像は表示されておらず、撮影後、撮影された画像が表示される。部位・方向表示領域２３２ｂからいずれかの撮影部位・撮影方向２３２ｃが選択されると、選択された撮影部位について、選択された撮影方向で撮影が行われることになる。
【００５４】
次に、制御部２１により、選択された撮影部位・撮影方向に基づいて、記憶部２５に記憶されている検知条件対応テーブル２５１が参照され、選択された撮影部位・撮影方向に対応付けられている放射線の照射タイミングの検知条件（検知感度、検知領域、振動誤検知補正）が読み出される（ステップＳ４）。
【００５５】
次に、制御部２１により、読み出された照射タイミングの検知条件と現在設定されている照射タイミングの検知条件とが比較され、照射タイミングの検知条件が変更されるか否かが判断される（ステップＳ５）。
【００５６】
読み出された照射タイミングの検知条件と現在設定されている照射タイミングの検知条件とが異なる場合、すなわち、照射タイミングの検知条件が変更される場合には（ステップＳ５；ＹＥＳ）、制御部２１により、変更内容に警告すべき内容が含まれているか否かが判断される（ステップＳ６）。具体的には、検知条件対応テーブル２５１の「警告」フィールドが「あり」の場合には警告すべき内容が含まれていると判断され、「なし」の場合には警告すべき内容が含まれていないと判断される。
【００５７】
変更内容に警告すべき内容が含まれていない場合には（ステップＳ６；ＮＯ）、ステップＳ４において読み出された照射タイミングの検知条件について、全ての内容を変更するものとして、ステップＳ１０に移行する。
【００５８】
ステップＳ６において、変更内容に警告すべき内容が含まれている場合には（ステップＳ６；ＹＥＳ）、制御部２１により、検知条件対応テーブル２５１の「警告」フィールドにおいて指定されている検知条件について、表示部２３に警告が表示される（ステップＳ７）。
【００５９】
図１３に、振動誤検知補正機能をＯＮに変更する旨の警告メッセージ画面２３３の例を示す。警告メッセージ画面２３３には、振動誤検知補正についてＯＮへの変更を許可することを指示するためのＹＥＳボタンＢ３と、振動誤検知補正についてＯＮへの変更を許可しないことを指示するためのＮＯボタンＢ４と、が含まれる。
【００６０】
図１４に、検知感度を高感度に変更する旨の警告メッセージ画面２３４の例を示す。警告メッセージ画面２３４には、検知感度について高感度への変更を許可することを指示するためのＹＥＳボタンＢ５と、検知感度について高感度への変更を許可しないことを指示するためのＮＯボタンＢ６と、が含まれる。
【００６１】
操作部２２からの操作により、警告において示された検知条件について、変更を許可する旨の指示があった場合には（ステップＳ８；ＹＥＳ）、警告において示された検知条件を含め、ステップＳ４において読み出された照射タイミングの検知条件について、全ての内容を変更するものとして、ステップＳ１０に移行する。
例えば、図１３に示す警告メッセージ画面２３３において、ＹＥＳボタンＢ３が押下された場合、図１４に示す警告メッセージ画面２３４において、ＹＥＳボタンＢ５が押下された場合には、制御部２１により、警告において示された検知条件について、変更を許可する旨の指示があったと判断される。
【００６２】
ステップＳ８において、操作部２２からの操作により、警告において示された検知条件について、変更を許可しない旨の指示があった場合には（ステップＳ８；ＮＯ）、制御部２１により、警告において示された検知条件が変更内容から除かれ（ステップＳ９）、ステップＳ１０に移行する。
例えば、図１３に示す警告メッセージ画面２３３において、ＮＯボタンＢ４が押下された場合、図１４に示す警告メッセージ画面２３４において、ＮＯボタンＢ６が押下された場合には、制御部２１により、警告において示された検知条件について、変更を許可しない旨の指示があったと判断される。
【００６３】
ステップＳ６において、変更内容に警告すべき内容が含まれていない場合（ステップＳ６；ＮＯ）、ステップＳ８において、警告において示された検知条件について、変更を許可する旨の指示があった場合（ステップＳ８；ＹＥＳ）、又は、ステップＳ９の後、制御部２１により、通信部２４を介して照射タイミングの検知条件がＦＰＤパネル１に通知される（ステップＳ１０）。
【００６４】
ＦＰＤパネル１では、無線通信部１３により、アクセスポイント４を介して撮影制御装置２から検知条件が受信される（ステップＳ１１）。制御部１１により、受信された検知条件、すなわち、変更後の照射タイミングの検知条件が記憶部１４に記憶される。
【００６５】
撮影制御装置２では、ステップＳ１０の後、又は、ステップＳ５において、照射タイミングの検知条件が変更されない場合に（ステップＳ５；ＮＯ）、撮影の準備が完了すると、制御部２１により、操作部２２からの操作に基づいて、通信部２４を介してＦＰＤパネル１に撮影開始要求が通知される（ステップＳ１２）。
【００６６】
図１０に移行し、ＦＰＤパネル１では、無線通信部１３により、アクセスポイント４を介して撮影制御装置２から撮影開始要求が受信されると、制御部１１により、検出器１２の各放射線検出素子１２１について、電荷がリセットされる（ステップＳ１３）。
【００６７】
次に、制御部１１により、検出器１２の各放射線検出素子１２１の電荷が読み出され（ステップＳ１４）、記憶部１４に記憶されている放射線の照射タイミングの検知条件に基づいて、放射線の強度又は放射線強度の積算値のいずれかがそれぞれに設定されている閾値を超えたか否かが判断される（ステップＳ１５）。放射線の強度及び放射線強度の積算値のいずれも閾値を超えていない場合には（ステップＳ１５；ＮＯ）、ステップＳ１４に戻る。
【００６８】
ステップＳ１５において、放射線の強度又は放射線強度の積算値のいずれかが閾値を超えた場合には（ステップＳ１５；ＹＥＳ）、制御部１１により、放射線発生装置５から放射線が照射されていると判断され、検出器１２の各放射線検出素子１２１について画像生成用に電荷の蓄積が開始される（ステップＳ１６）。次に、制御部１１により、一定時間経過後、検出器１２の各放射線検出素子１２１の電荷が読み出され（ステップＳ１７）、放射線画像が生成される（ステップＳ１８）。生成された放射線画像の画像データは、制御部１１により、記憶部１４に記憶される。次に、制御部１１により、無線通信部１３を介して、生成された放射線画像が撮影制御装置２に送信される（ステップＳ１９）。
【００６９】
撮影制御装置２では、通信部２４により、放射線画像が受信され（ステップＳ２０）、制御部２１により、受信された放射線画像が記憶部２５に記憶される。
ここで、終了していない撮影がある場合には（ステップＳ２１；ＮＯ）、図９のステップＳ３に戻り、処理が繰り返される。
【００７０】
ステップＳ２１において、全ての撮影が終了した場合には（ステップＳ２１；ＹＥＳ）、放射線画像撮影処理が終了する。
例えば、撮影画面２３２（図１２参照）において、操作部２２からの操作により、検査終了ボタンＢ２が押下されると、検査が終了する。
【００７１】
以上説明したように、本実施の形態によれば、撮影オーダー情報（撮影部位・撮影方向）に対応付けられている検知条件に基づいて、放射線発生装置５による放射線の照射タイミングを検知するので、ＦＰＤパネル１自体で放射線の照射タイミングを検知する際の誤検知、検知漏れを防ぐことができる。
【００７２】
例えば、小児胸腹部単純撮影や手指骨正面撮影等、検出器１２への到達線量が多い場合には、感度を低くすることで、誤検知を防ぐことができる。また、成人腹部正面撮影等、検出器１２への到達線量が少ない場合には、感度を高くすることで、検知漏れを防ぐことができる。
また、手指骨正面撮影等、照射野を絞って撮影が行われる場合には、検知領域を全面に広げることにより、検知漏れを防ぐことができる。
また、小児胸腹部単純撮影等、被写体Ｐ１が動きやすく、ＦＰＤパネル１に衝撃が加わりやすい場合には、振動誤検知補正をＯＮにすることで、振動による誤検知を防止することができる。
【００７３】
また、撮影制御装置２において、検知条件の変更にあたって警告すべき変更内容については警告を表示するので、ユーザーに注意を喚起することができるとともに、ユーザーが意図していなかった検知条件の変更を防ぐことができる。
【００７４】
なお、上記実施の形態における記述は、本発明に係る放射線画像撮影システムの例であり、これに限定されるものではない。システムを構成する各装置の細部構成及び細部動作に関しても本発明の趣旨を逸脱することのない範囲で適宜変更可能である。
【００７５】
例えば、上記実施の形態では、撮影オーダー情報に含まれる撮影部位及び撮影方向に基づいて、放射線の照射タイミングの検知条件を変更することとしたが、撮影部位のみ、又は、撮影方向のみに基づいて、それぞれ適した照射タイミングの検知条件に変更することとしてもよい。また、撮影オーダー情報に含まれる年齢、性別に基づいて、適した照射タイミングの検知条件に変更することとしてもよい。
【００７６】
また、上記実施の形態では、撮影オーダー情報に応じて、検知感度及び検知領域を変更することとしたが、検知感度又は検知領域のいずれか一方を変更することとしてもよい。また、検知感度、検知領域、振動誤検知補正のＯＮ／ＯＦＦ以外の検知条件を変更することとしてもよい。
【００７７】
また、ＦＰＤパネル１での放射線照射タイミングの検知方法は、上記の例に限定されない。
【符号の説明】
【００７８】
１  ＦＰＤパネル
２  撮影制御装置
５  放射線発生装置
６  放射線発生装置操作卓
１１  制御部
１２  検出器
１３  無線通信部
１４  記憶部
２１  制御部
２２  操作部
２３  表示部
２４  通信部
２５  記憶部
１００  放射線画像撮影システム
１２１  放射線検出素子
２５１  検知条件対応テーブル
２３３  警告メッセージ画面
２３４  警告メッセージ画面
Ｐ１  被写体
【図１】
2014113345.tif 000003
【図２】
2014113345.tif 000004
【図３】
2014113345.tif 000005
【図４】
2014113345.tif 000006
【図５】
2014113345.tif 000007
【図６】
2014113345.tif 000008
【図７】
2014113345.tif 000009
【図８】
2014113345.tif 000010
【図９】
2014113345.tif 000011
【図１０】
2014113345.tif 000012
【図１１】
2014113345.tif 000013
【図１２】
2014113345.tif 000014
【図１３】
2014113345.tif 000015
【図１４】
2014113345.tif 000016